(57)【要約】【課題】ユーザによる操作ミスを抑制する、遠隔操作装置による対象機器の制御方法を提供する。【解決手段】遠隔操作装置（携帯端末１０）による対象機器の制御方法であって、遠隔操作装置の位置を判定する位置判定工程と、対象機器を特定する対象機器特定工程と、対象機器と、遠隔操作装置の位置とに応じて、操作可能な操作内容を変更する操作内容変更工程と、を含む制御方法。【選択図】図１
2015050565.tif 000002
【特許請求の範囲】
【請求項１】
遠隔操作装置による対象機器の制御方法であって、
遠隔操作装置の位置を判定する位置判定工程と、
対象機器を特定する対象機器特定工程と、
上記対象機器特定工程において特定された上記対象機器と、上記位置判定工程において判定された上記遠隔操作装置の位置とに応じて、上記対象機器に対して上記遠隔操作装置が操作可能な操作内容を変更する操作内容変更工程と、を含む制御方法。
【請求項２】
上記位置判定工程は、上記遠隔操作装置が予め定められた領域内にあるか否かを判定し、
上記操作内容変更工程は、上記対象機器特定工程において特定された上記対象機器と、上記位置判定工程において判定された上記遠隔操作装置が上記予め定められた領域内にあるか否かとに応じて、上記対象機器に対して上記遠隔操作装置が操作可能な操作内容を変更することを特徴とする請求項１に記載の制御方法。
【請求項３】
上記予め定められた領域は、上記対象機器が設置された場所を含む領域であることを特徴とする請求項２に記載の制御方法。
【請求項４】
上記位置判定工程は、上記遠隔操作装置と上記対象機器との距離が、予め定められた距離以上であるか否かを判定し、
上記操作内容変更工程は、上記対象機器特定工程において特定された上記対象機器と、上記位置判定工程において判定された上記遠隔操作装置と上記対象機器との距離が上記予め定められた距離以上であるか否かとに応じて、上記対象機器に対して上記遠隔操作装置が操作可能な操作内容を変更することを特徴とする請求項１に記載の制御方法。
【請求項５】
対象機器を操作可能な遠隔操作装置であって、
当該遠隔操作装置の位置を特定する位置特定手段と、
対象機器を特定する対象機器特定手段と、
上記対象機器特定手段によって特定された対象機器を示す対象機器特定情報、及び上記位置特定手段によって特定された位置を示す位置情報をサーバに送信する送信手段と、
上記対象機器特定情報、及び上記位置情報に応じて定まる操作内容をサーバから受信する受信手段と、
受信した上記操作内容を示す操作画面を生成する操作画面生成手段と、を備えることを特徴とする遠隔操作装置。
【請求項６】
上記位置特定手段によって特定された上記遠隔操作装置の位置が、所定の条件を満たすものであるか否かを判定する位置判定手段をさらに備え、
上記送信手段は、上記対象機器特定手段によって特定された対象機器を示す対象機器特定情報、及び上記位置判定手段によって判定された判定結果をサーバに送信することを特徴とする請求項５に記載の遠隔操作装置。
【請求項７】
請求項５または６に記載の遠隔操作装置としてコンピュータを機能させるための制御プログラムであって、コンピュータを上記各手段として機能させるための制御プログラム。
【請求項８】
対象機器を示す対象機器特定情報、及び当該対象機器を操作する遠隔操作装置の位置を示す位置情報を受信する受信手段と、
上記対象機器特定情報と、上記位置情報とに応じて、上記対象機器に対して上記遠隔操作装置が操作可能な操作内容を決定する操作内容決定手段と、
決定された上記操作内容を上記遠隔操作装置に送信する送信手段と、を含むサーバ。
【請求項９】
請求項８に記載のサーバとしてコンピュータを機能させるための制御プログラムであって、コンピュータを上記各手段として機能させるための制御プログラム。
【発明の詳細な説明】
【技術分野】
【０００１】
本発明は、遠隔操作装置による対象機器の制御方法に関する、また、本発明は、当該遠隔操作装置、制御プログラム、およびサーバに関する。
【背景技術】
【０００２】
近年、住宅内に設置した家電をネットワークに接続し、携帯端末（携帯機器）を使って、住宅の外から当該家電を操作する技術が知られている。
【０００３】
例えば、特許文献１には、使用者が玄関扉に設けられた電気錠に対して住宅内に人が居ないことを示す所定の外出操作で施錠すると、ホームゲートウェイがサーバに対して、外出モードとなったことを通知する技術が記載されている。
【先行技術文献】
【特許文献】
【０００４】
【特許文献１】特開２００６−２０３５１５号公報（２００６年８月３日公開）
【発明の概要】
【発明が解決しようとする課題】
【０００５】
従来の技術では、使用者の位置によらず、家電機器に対して操作可能な内容は同じである。このため、従来の技術では、例えば、宅外にいる使用者にとって好ましくない操作内容（例えば、玄関の扉を開錠する操作）を選択してしまう等の操作ミスを誘発し易いという問題があった。
【０００６】
本発明は上記問題に鑑みてなされたものであり、その目的は、ユーザによる操作ミスを抑制する、遠隔操作装置による対象機器の制御方法を提供することにある。
【課題を解決するための手段】
【０００７】
上記の課題を解決するために、本発明の一態様に係る制御方法は、遠隔操作装置による対象機器の制御方法であって、遠隔操作装置の位置を判定する位置判定工程と、対象機器を特定する対象機器特定工程と、上記対象機器特定工程において特定された上記対象機器と、上記位置判定工程において判定された上記遠隔操作装置の位置とに応じて、上記対象機器に対して上記遠隔操作装置が操作可能な操作内容を変更する操作内容変更工程と、を含む。
【０００８】
また、上記の課題を解決するために、本発明の一態様に係る遠隔操作装置は、対象機器を操作可能な遠隔操作装置であって、当該遠隔操作装置の位置を特定する位置特定部と、対象機器を特定する対象機器特定部と、上記対象機器特定部によって特定された対象機器を示す対象機器特定情報、及び上記位置特定部によって特定された位置を示す位置情報をサーバに送信する送信部と、上記対象機器特定情報、及び上記位置情報に応じて定まる操作内容をサーバから受信する受信部と、受信した上記操作内容を示す操作画面を生成する操作画面生成部と、を備えることを特徴とする。
【０００９】
また、上記の課題を解決するために、本発明の一態様に係るサーバは、対象機器を示す対象機器特定情報、及び当該対象機器を操作する遠隔操作装置の位置を示す位置情報を受信する受信手段と、上記対象機器特定情報と、上記位置情報とに応じて、上記対象機器に対して上記遠隔操作装置が操作可能な操作内容を決定する操作内容決定手段と、決定された上記操作内容を上記遠隔操作装置に送信する送信手段と、を含む。
【発明の効果】
【００１０】
本発明の一態様によれば、遠隔操作装置の位置と、遠隔操作装置が操作可能な対象機器とに応じて、遠隔操作装置が操作可能な操作内容が変更される。このため、使用者にとって好ましくない操作内容を、遠隔操作装置の位置に応じて、操作可能な操作内容から排除しておくことが可能となる。このため、上記の構成によれば、ユーザによる操作ミスを抑制することができる。
【図面の簡単な説明】
【００１１】
【図１】本発明の実施形態１に係る遠隔操作システムの構成を示すブロック図である。
【図２】（ａ）および（ｂ）は、本発明の実施形態１におけるデータベースに記憶されているデータのテーブルの例であり、（ｃ）〜（ｅ）は、携帯端末の位置に応じた操作属性および属性情報の例である。
【図３】本発明の実施形態１に係る遠隔操作システムの処理の流れを示すシーケンス図である。
【図４】本発明の実施形態１に係る遠隔操作システムにおいて、操作画面生成部が表示部に表示させる操作画面の例である。
【図５】本発明の実施形態２に係る遠隔操作システムの構成を示すブロック図である。
【図６】本発明の実施形態２に係る遠隔操作システムの処理の流れを示すシーケンス図である。
【図７】本発明の実施形態３に係る遠隔操作システムの構成を示すブロック図である。
【図８】本発明の実施形態４に係る遠隔操作システムの構成を示すブロック図である。
【図９】本発明の実施形態５に係る遠隔操作システムの構成を示すブロック図である。
【図１０】本発明の実施形態５に係る遠隔操作システムの処理の流れを示すシーケンス図である。
【図１１】本発明の実施形態６に係る遠隔操作システムの構成を示すブロック図である。
【発明を実施するための形態】
【００１２】
〔実施形態１〕
以下、本発明の実施の形態について、詳細に説明する。
【００１３】
（実施形態１に係る遠隔操作システム１の構成）
図１は、本発明の実施形態１に係る遠隔操作システム１の構成を示すブロック図である。図１に示すように、遠隔操作システム１は、携帯端末１０、サービスプロバイダ（サーバ）２０、地域情報管理装置（サーバ）３０によって構成されている。
【００１４】
携帯端末１０は、図１には図示していない宅内情報管理装置４０が管理する家電（対象機器）を操作可能な遠隔操作装置である。遠隔操作システム１は、携帯端末１０の操作対象の家電および携帯端末１０の位置に応じて、操作対象の家電に対して携帯端末１０が操作可能な操作内容を変更するというシステムである。なお、携帯端末１０を操作するユーザは、携帯端末１０を日頃、身に着けているものとする。
【００１５】
（携帯端末１０の構成）
図１に示すように、携帯端末１０は、通信部（送信手段、受信手段）１１、位置特定部（位置特定手段）１２、ユーザ操作入力部（対象機器特定手段）１３、操作画面生成部（操作画面生成手段）１４、及び表示部１５を備えている。
【００１６】
通信部１１は、ネットワーク２に接続されており、取得したデータを、ネットワーク２を通じてサービスプロバイダ２０に送信することができる。また、ネットワーク２を通じてサービスプロバイダ２０からデータを受信することができる。
【００１７】
位置特定部１２は、携帯端末１０の位置を特定し、特定された位置を示す位置情報を出力する。本実施形態において、位置情報は、携帯端末１０が備えるＧＰＳ受信機を使って受信したＧＰＳ情報に基づいて特定される。
【００１８】
ユーザ操作入力部１３は、ユーザがハードキー、スイッチ、タッチセンサなどを操作して入力した情報を取得する。ユーザが入力する情報は、操作対象の家電が設置されている宅を特定する情報である宅のＩＤ、操作対象の家電を特定する情報である家電のＩＤ（対象機器特定情報）などがある。
【００１９】
操作画面生成部１４は、ユーザが操作対象の家電を操作するための画面を生成する。操作画面生成部１４は、具体的には、（１）家電のＩＤ、（２）ユーザが携帯端末１０を使って操作対象の家電を操作可能な操作の種類を示す情報である操作属性のＩＤ、および、（３）操作属性のＩＤに対応する属性情報であって操作対象の家電の現在の設定を示す情報である属性情報を取得し、ユーザが操作対象の家電を操作するための操作画面を生成する。また、操作画面生成部１４は、生成した操作画面を表示部１５に表示させる。
【００２０】
なお、操作属性によっては、上述の属性情報が不要である場合もある。一例として、画面の構成に関する操作属性において、ＯＮのみが選択可能な場合が挙げられる。このような場合、操作画面生成部１４は、（１）上記家電のＩＤ、（２）上記操作属性のＩＤを取得し、（３）属性情報を取得しない構成とすることもできる。
【００２１】
表示部１５は、操作画面生成部１４によって生成された操作画面を表示する表示デバイスである。表示部１５の例としては、液晶ディスプレイ、有機ＥＬ（Electro Luminescence）ディスプレイ等が挙げられる。
【００２２】
（サービスプロバイダ２０の構成）
図１に示すように、サービスプロバイダ２０は、サービスプロバイダ通信部（受信手段、送信手段）２１、および制御部（操作内容決定手段）２２を備えている。
【００２３】
サービスプロバイダ通信部２１は、ネットワーク２に接続されており、取得したデータを、ネットワーク２を通じて携帯端末１０に送信することができる。また、ネットワーク２を通じて携帯端末１０からデータを受信することができる。また、地域情報管理装置３０にも接続されており、地域情報管理装置３０との間でデータを送受信する。
【００２４】
制御部２２は、サービスプロバイダ２０の各種構成を統括的に制御するものである。制御部２２の機能は、例えばＲＡＭ（Ｒａｎｄｏｍ  Ａｃｃｅｓｓ  Ｍｅｍｏｒｙ）やフラッシュメモリなどの記憶装置に記憶されたプログラムをＣＰＵ（Ｃｅｎｔｒａｌ  Ｐｒｏｃｅｓｓｉｎｇ  Ｕｎｉｔ）が実行することによって実現される。また、図１に示すように、制御部２２は、位置判定部２３としても機能する。
【００２５】
位置判定部２３は、携帯端末１０が予め定められた複数の領域内の何れにあるかを判定する。より具体的には、位置判定部２３は、これら複数の領域の少なくとも何れかを指定するための情報である位置判定参照情報と、携帯端末１０の位置情報とに基づいて判定し、携帯端末１０が上記複数の領域内の何れにあるかを示す判定結果（携帯端末１０の位置）を出力する。
【００２６】
本実施形態においては、位置判定参照情報は、一例として、操作対象の家電が設置された場所の領域を示す情報である。この場合、携帯端末１０の位置が、当該位置判定参照情報の示す領域内にあれば、携帯端末１０は宅内にあると判定され、携帯端末１０の位置が、当該位置判定参照情報の示す領域内になければ、携帯端末１０は宅外にあると判定される。
【００２７】
また、本実施形態において、位置判定参照情報が、操作対象の家電が設置された場所の領域（領域Ａとも呼称する）を示す情報と、操作対象の家電が設置された場所の領域の周辺の領域（領域Ｂとも呼称する）を示す情報とを含む構成としてもよい。この場合、携帯端末１０の位置が、領域Ａ内にあれば、携帯端末１０は宅内にあると判定され、携帯端末１０の位置が、領域Ａ内になく、かつ、領域Ｂ内にあれば、携帯端末１０は宅周辺領域にあると判定され、携帯端末１０の位置が、領域Ａ内にも、領域Ｂ内にもなければ、携帯端末１０は宅外にあると判定される。なお、領域Ｂは、例えば、宅と中心とする半径１００ｍ〜１ｋｍ程度として設定される。また、領域Ｂの大きさは、ユーザによって適宜設定可能な構成としてもよい。
【００２８】
なお、位置判定参照情報は、操作対象の家電との距離を示す情報としてもよい。この場合、位置判定部２３は、携帯端末１０の位置が、位置判定参照情報が示す距離以上であるか否かを判定する。そして、携帯端末１０の位置が、位置判定参照情報が示す距離以上であると判定された場合は宅外、携帯端末１０の位置情報が、位置判定参照情報が示す距離以上ではないと判定された場合は宅内、としてもよい。
【００２９】
また、宅の概略的な輪郭を記憶装置に予め記憶させておき、当該輪郭の示す領域内であれば、宅内、そうでなければ宅外と判定する構成としてもよい。
【００３０】
また、対象家電の位置を具体的に特定する構成としてもよいし、予め宅内の代表点を設定しておき、当該代表点によって対象家電の位置を代表させる構成としてもよい。
【００３１】
（地域情報管理装置３０の構成）
図１に示すように、地域情報管理装置３０は、地域情報管理装置通信部３１、データベース検索部３２、およびデータベース３３を備えている。
【００３２】
地域情報管理装置通信部３１は、サービスプロバイダ２０と接続されており、サービスプロバイダ２０との間でデータを送受信する。
【００３３】
データベース検索部３２は、サービスプロバイダ２０から取得した情報と関係付けられているデータを、データベース３３から取得する。
【００３４】
データベース３３は、遠隔システム１において利用されるデータを記憶している。データベース３３に記憶されているデータのテーブルを、図２に示す。
【００３５】
（データベース３３に記憶されているテーブル）
図２（ａ）および（ｂ）は、本発明の実施形態１におけるデータベース３３に記憶されているデータのテーブルの例である。
【００３６】
図２（ａ）に示すように、宅のＩＤおよび位置判定参照情報がテーブルとして記憶されており、データベース検索部３２は、宅のＩＤを取得し、宅のＩＤに関係付けられている位置判定参照情報を取得する。
【００３７】
また、図２（ｂ）に示すように、宅のＩＤ、家電のＩＤ、家電の種類のＩＤ、携帯端末の位置、操作属性のＩＤ、および属性情報がテーブルとして記憶されている。ここで、家電の種類のＩＤとは、当該家電のメーカー、製品名、型番等と関係付けられている情報であり、当該家電のメーカー、製品名、型番等を特定するための情報である。データベース検索部３２は、宅のＩＤ、家電のＩＤ、および携帯端末１０の位置を取得し、宅のＩＤ，家電のＩＤ、および携帯端末１０の位置に関係付けられている操作属性のＩＤおよび属性情報を取得する。
【００３８】
データベース３３に記憶されているデータは、予めユーザにより、登録される。ただし、属性情報は、ユーザによる操作によって随時変更されるため、適宜、地域情報管理装置３０は、宅内情報管理装置４０から属性情報を取得し、データベース３３のデータは更新されるものとする。
【００３９】
また、操作属性のＩＤは、家電の種類のＩＤによって決められてもよい。つまり、メーカーが宅内および宅外において操作可能な操作属性のＩＤを、家電の種類のＩＤごとに定め、データベース３３に記憶させてもよい。
【００４０】
また、携帯端末１０の位置に応じた操作属性、属性情報の例を、図２（ｃ）〜（ｅ）を用いて説明する。なお、携帯端末１０の位置が宅周辺領域の場合については、図２（ｄ）にのみ例として挙げているが、図２（ｃ）および（ｅ）においては、携帯端末１０の位置が宅外の場合の操作属性と同じ操作属性が記憶されているため、省略する。
【００４１】
図２（ｃ）は、操作対象の家電が給湯器の場合に、携帯端末１０の位置に応じた操作属性および属性情報の例である。図２（ｃ）に示すように、携帯端末１０の位置が宅内の場合、操作属性は給湯器のＯＮ／ＯＦＦ、温度設定を上げる／下げる、およびお風呂のお湯はり開始／停止である。一方、携帯端末１０の位置が宅外の場合、操作属性は給湯器のＯＦＦである。
【００４２】
また、図２（ｄ）は、操作対象の家電が電気錠の場合に、携帯端末１０の位置に応じた操作属性および属性情報の例である。図２（ｄ）に示すように、携帯端末１０の位置が宅内および宅周辺領域の場合、操作属性は開／閉である。また、携帯端末１０の位置が宅外の場合、操作属性は閉である。
【００４３】
また、図２（ｅ）は、家電のＩＤが示す情報が照明の場合に、携帯端末１０の位置に応じた操作属性および属性情報の例である。図２（ｅ）に示すように、携帯端末１０の位置が宅内の場合においても、宅外の場合においても、操作属性はＯＮ／ＯＦＦである。
【００４４】
このように、操作対象の家電、および携帯端末１０の位置によって、データベース３３に記憶されている操作属性は異なっている。つまり、データベース検索部３２は、操作対象の家電、および携帯端末１０の位置に応じた操作属性のＩＤおよび属性情報を、データベース３３から取得する。
【００４５】
（実施形態１に係る遠隔操作システム１の処理）
図３は、本発明の実施形態１に係る遠隔操作システム１の処理の流れを示すシーケンス図である。遠隔操作システム１の処理について、図３を用いて説明する。なお、各部が通信部１１、サービスプロバイダ通信部２１、または地域情報管理装置通信部３１（以下、各通信部と称する）に情報を出力し、各通信部が取得した情報を送信する処理は、各部が各通信部を使って送信、と記載する。また、各通信部が情報を受信し、各部に出力する処理は、各部が各通信部を使って受信、と記載する。
【００４６】
まず、位置特定部１２は、携帯端末１０の位置を特定し、特定した位置情報を、通信部１１を使ってサービスプロバイダ２０に送信する。また、ユーザ操作入力部１３は、ユーザが入力した家電のＩＤおよび宅のＩＤを取得し、取得した情報を、通信部１１を使ってサービスプロバイダ２０に送信する。（ステップＳ５１）。
【００４７】
制御部２２は、サービスプロバイダ通信部２１を使って、携帯端末１０から送信された位置情報、家電のＩＤ、および宅のＩＤを受信する（ステップＳ５２）。そして、制御部２２は、受信した情報のうち、宅のＩＤを、サービスプロバイダ通信部２１を使って、地域情報管理装置３０に送信する（ステップＳ５３）。
【００４８】
データベース検索部３２は、地域情報管理装置通信部３１を使って、サービスプロバイダ２０から送信された宅のＩＤを受信する（ステップＳ５４）。そして、データベース検索部３２は、受信した宅のＩＤと関係付けられている位置判定参照情報を、データベース３３から取得する（ステップＳ５５）。データベース検索部３２は、取得した位置判定参照情報を、地域情報管理装置通信部３１を使って、サービスプロバイダ２０に送信する（ステップＳ５６）。
【００４９】
制御部２２は、サービスプロバイダ通信部２１を使って、地域情報管理装置３０から送信された位置判定参照情報を受信する（ステップＳ５７）。そして、位置判定部２３は、取得した位置判定参照情報と、ステップＳ５２において取得した位置情報とに基づいて、携帯端末１０が宅内、宅外、および宅周辺領域の何れにあるかを判定する（ステップＳ５８）。制御部２２は、位置判定部２３が判定した携帯端末１０の位置、Ｓ５２において取得した家電のＩＤ、および宅のＩＤを、サービスプロバイダ通信部２１を使って地域情報管理装置３０に送信する（ステップＳ５９）。
【００５０】
データベース検索部３２は、地域情報管理装置通信部３１を使って、サービスプロバイダ２０から送信された携帯端末１０の位置、家電のＩＤ、および宅のＩＤを受信する（ステップＳ６０）。そして、データベース検索部３２は、取得した携帯端末１０の位置、家電のＩＤ、および宅のＩＤと関係付けられている操作属性のＩＤおよび属性情報を、データベース３３から取得する（ステップＳ６１）。データベース検索部３２は、家電のＩＤと、データベース３３から取得した操作属性のＩＤおよび属性情報とを、地域情報管理装置通信部３１を使って、サービスプロバイダ２０に送信する（ステップＳ６２）。
【００５１】
制御部２２は、サービスプロバイダ通信部２１を使って、地域情報管理装置３０から送信された家電のＩＤ，操作属性のＩＤ，および属性情報を受信する（ステップＳ６３）。そして、制御部２２は、受信した家電のＩＤ，操作属性のＩＤ，および属性情報を、サービスプロバイダ通信部２１を使って、携帯端末１０に送信する（ステップＳ６４）。
【００５２】
操作画面生成部１４は、通信部１１を使って、サービスプロバイダ通信部２１から送信された家電のＩＤ，操作属性のＩＤ，および属性情報を受信する（ステップＳ６５）。そして、操作画面生成部１４は、取得した家電のＩＤ，操作属性のＩＤ，および属性情報から、ユーザが操作対象の家電を操作するための操作画面を生成し、表示部１５に表示させる（ステップＳ６６）。
【００５３】
なお、すでに説明したように、属性情報が不要である場合には、ステップＳ６１において、データベース検索部３２が、属性情報を取得しない構成とし、ステップＳ６２〜ステップＳ６５において、属性情報を送受信しない構成としてもよい。後述する実施形態においても同様である。
【００５４】
（操作画面の例）
図４（ａ）は、図２（ｃ）において携帯端末１０の位置が宅内であった場合に、操作画面生成部１４が表示部１５に表示させる操作画面の例であり、（ｂ）は、図２（ｃ）において携帯端末１０の位置が宅外であった場合に、操作画面生成部１４が表示部１５に表示させる操作画面の例である。図４（ａ）に示すように、携帯端末１０が宅内にある場合、給湯器のＯＮ／ＯＦＦ、温度設定を上げる／下げる、およびお風呂のお湯はり開始／停止を操作するための操作画面が、表示部１５に表示される。つまり、携帯端末１０が宅内にある場合、操作内容が制限されない操作画面が表示される。一方、図４（ｂ）に示すように、携帯端末１０が宅外にある場合、給湯器をＯＦＦする操作のみができる操作画面が、表示部１５に表示される。つまり、携帯端末１０が宅外にある場合、操作内容が制限された操作画面が表示され、ユーザは携帯端末１０を使って、給湯器のＯＦＦしかすることができない。
【００５５】
また、それぞれの操作属性に対応する給湯器の現在の設定である属性情報も、操作画面に含まれている。具体的には、例えば図４（ａ）において、操作属性「ＯＮ／ＯＦＦ」においては、操作画面生成部１４が「ＯＦＦ」アイコンの色を変更することによって、ユーザは給湯器の現在の設定がＯＦＦになっていることが分かる。また、操作属性「上げる／下げる」においては、操作画面生成部１４が温度スライドバーを表示することにより、現状の設定温度が提示される。図４（ａ）では、温度スライドバーにおける３８℃付近の色を変更することによって、ユーザは給湯器の現在の温度設定が３８℃程度であることが分かる。操作属性「停止／開始」においては、操作画面生成部１４が「停止」アイコンの色を変更することによって、ユーザはお風呂のお湯はりの現在の設定が停止になっていることが分かる。
【００５６】
なお、図４（ａ）の操作画面において、操作属性に対応するユーザ操作を受け付けるための表示画面を指定する指定情報（給湯器をＯＮ／ＯＦＦする操作を受け付ける表示をボタンで表示するという情報や、温度設定を変更する操作を受け付ける表示を温度スライドバーで表示するという情報など）を、操作属性のＩＤに含める構成としてもよいし、上記指定情報を属性情報に含める構成としてもよい。
【００５７】
ただし、上述したように、属性情報が不要である場合には、上記指定情報を、操作属性のＩＤに含める構成とすることが好ましい。
【００５８】
図４（ｃ）は、図２（ｄ）において携帯端末１０の位置が宅内または宅周辺領域であった場合に、操作画面生成部１４が表示部１５に表示させる操作画面の例であり、（ｄ）は、図２（ｄ）において携帯端末１０の位置が宅外であった場合に、操作画面生成部１４が表示部１５に表示させる操作画面の例である。図４（ｃ）に示すように、携帯端末１０の位置が宅内または宅周辺領域にある場合、電気錠の開／閉を操作可能な操作画面が、表示部１５に表示される。つまり、携帯端末１０が宅内にある場合、操作内容が制限されない操作画面が表示される。同様に、携帯端末１０の位置が宅周辺領域の場合も、操作内容が制限されない操作画面が表示される。一方、図４（ｄ）に示すように、携帯端末１０が宅外にある場合、電気錠の閉のみを操作可能な操作画面が、表示部１５に表示される。つまり、携帯端末１０が宅外にある場合、操作可能な操作内容が制限された操作画面が表示される。
【００５９】
図４（ｅ）は、図２（ｅ）において携帯端末１０の位置が宅内であった場合に、操作画面生成部１４が表示部１５に表示させる操作画面の例であり、（ｆ）は、図２（ｅ）において携帯端末１０の位置が宅外であった場合に、操作画面生成部１４が表示部１５に表示させる操作画面の例である。図４（ｅ）に示すように、携帯端末１０の位置が宅内にある場合、照明のＯＮ／ＯＦＦを操作可能な操作画面が、表示部１５に表示される。つまり、携帯端末１０が宅内にある場合、操作内容が制限されない操作画面が表示される。一方、照明においては、宅内に人がいないと思われないようにするため、ユーザは宅外からでも照明をＯＮする場合があると考えられる。したがって、図４（ｆ）に示すように、携帯端末１０が宅外ある場合でも、照明のＯＮ／ＯＦＦを操作可能な操作画面が、表示部１５に表示される。
【００６０】
このように、遠隔操作システム１では、ユーザが携帯端末１０を使って操作する操作対象の家電と、携帯端末１０の位置とに応じて、操作可能な操作内容が変更される。例えば、ユーザが宅外から操作しないと想定される操作内容、例えば、給湯器をＯＮする操作や、電気錠を開錠する操作などは、携帯端末１０の位置が宅外の場合は、操作不可能に設定しておくことができる。したがって、遠隔操作システム１は、ユーザによる操作ミスを抑制させることができる。
【００６１】
また、携帯端末１０に表示する操作画面に属性情報を含ませることにより、ユーザに対して現在の設定を明確に提示することができる。
【００６２】
〔実施形態２〕
本発明の他の実施形態について、図５〜図６に基づいて説明すれば、以下のとおりである。なお、説明の便宜上、前記実施形態にて説明した部材と同じ機能を有する部材については、同じ符号を付記し、その説明を省略する。
【００６３】
図５は、本発明の実施形態２に係る遠隔操作システム１の構成を示すブロック図である。図５に示す遠隔操作システム１は、実施形態１に係る遠隔操作システム１（図１）に対して、携帯端末１０に位置判定部（位置判定手段）１６が追加され、サービスプロバイダ２０から位置判定部２３が削除された構成になっている。
【００６４】
位置判定部１６は、実施形態１における位置判定部２３と同様の機能に加えて、記憶装置を有し、記憶装置には実施形態１においてデータベース３３が記憶していた位置判定参照情報のテーブル（図２（ａ））が記憶されている。
【００６５】
（実施形態２に係る遠隔操作システム１の処理）
図６は、本発明の実施形態２に係る遠隔操作システム１の処理の流れを示すシーケンス図である。本実施形態に係る遠隔操作システム１の処理について、図６を用いて説明する。
【００６６】
まず、位置特定部１２は、携帯端末１０の位置を特定し、特定した位置情報を位置判定部１６に出力する。位置判定部１６は、取得した位置情報と、位置判定部１６が有する位置判定参照情報に基づいて、携帯端末１０が宅内、宅外、および宅周辺領域の何れにあるかを判定する（ステップＳ７１）。そして、位置判定部１６は、判定した携帯端末１０の位置を、通信部１１を使ってサービスプロバイダ２０に送信する。また、ユーザ操作入力部１３は、ユーザが入力した家電のＩＤおよび宅のＩＤを取得し、通信部１１を使ってサービスプロバイダ２０に送信する。（ステップＳ７２）。
【００６７】
制御部２２は、サービスプロバイダ通信部２１を使って、携帯端末１０から送信された携帯端末１０の位置、家電のＩＤ、および宅のＩＤを受信する（ステップＳ７３）。そして、制御部２２は、受信した携帯端末１０の位置、家電のＩＤ、および宅のＩＤを、サービスプロバイダ通信部２１を使って地域情報管理装置３０に送信する（ステップＳ７４）。
【００６８】
地域情報管理装置３０が、サービスプロバイダ２０から携帯端末１０の位置、家電のＩＤ、および宅のＩＤを受信するステップＳ６０以降の処理は、上述した実施形態１と同じため、詳細な説明を省略する。
【００６９】
このように、実施形態２においては、実施形態１における位置判定部２３の機能を携帯端末１０が備えることにより、サービスプロバイダ２０の処理を軽くすることができる。
【００７０】
〔実施形態３〕
本発明の他の実施形態について、図７に基づいて説明すれば、以下のとおりである。なお、説明の便宜上、前記実施形態にて説明した部材と同じ機能を有する部材については、同じ符号を付記し、その説明を省略する。
【００７１】
図７は、本発明の実施形態３に係る遠隔操作システム１の構成を示すブロック図である。図７に示す遠隔操作システム１は、実施形態１に係る遠隔操作システム１（図１）に対して、サービスプロバイダ２０にデータベース２５が追加され、制御部２２にデータベース検索部２４が追加され、地域情報管理装置３０が削除された構成になっている。つまり、実施形態１における地域情報管理装置３０の機能を、サービスプロバイダ２０が有する構成になっている。
【００７２】
データベース検索部２４は、実施形態１におけるデータベース検索部３２と同様の機能を有し、携帯端末１０および位置判定部２３から取得した情報と関係付けられているデータを、データベース２５から取得する。
【００７３】
データベース２５は、実施形態１におけるデータベース３３と同様の機能を有し、同様のデータを記憶している。
【００７４】
（実施形態３に係る遠隔操作システム１の処理）
実施形態３に係る遠隔操作システム１は、上述したように、実施形態１に係る遠隔操作システム１の地域情報管理装置３０をサービスプロバイダ２０が有する構成になっている。したがって、実施形態３に係る遠隔操作システム１の処理は、図３におけるサービスプロバイダ２０と地域情報管理装置３０との間においてデータを送受信するステップＳ５３、ステップＳ５４、ステップＳ５６、ステップＳ５７、ステップＳ５９、ステップＳ６０、ステップＳ６２、およびステップＳ６３を削除し、地域情報管理装置３０が実行する処理であるステップＳ５５およびＳ６１において、データベース検索部３２を制御部２２のデータベース検索部２４、データベース３３をデータベース２５に読み替えて適用することが可能である。
【００７５】
このように、実施形態３においては、実施形態１における地域情報管理装置３０の機能をサービスプロバイダ２０が備えることにより、遠隔操作システム１の構成をシンプルにすることができる。
【００７６】
〔実施形態４〕
本発明の他の実施形態について、図８に基づいて説明すれば、以下のとおりである。なお、説明の便宜上、前記実施形態にて説明した部材と同じ機能を有する部材については、同じ符号を付記し、その説明を省略する。
【００７７】
図８は、本発明の実施形態４に係る遠隔操作システム１の構成を示すブロック図である。図８に示す遠隔操作システム１は、実施形態２に係る遠隔操作システム１（図５）に対して、サービスプロバイダ２０にデータベース２５が追加され、制御部２２にデータベース検索部２４が追加され、地域情報管理装置３０が削除された構成になっている。つまり、実施形態２における地域情報管理装置３０の機能を、サービスプロバイダ２０が有する構成になっている。そして、データベース検索部２４およびデータベース２５の機能は、実施形態３におけるデータベース検索部２４およびデータベース２５と同じである。
【００７８】
（実施形態４に係る遠隔操作システム１の処理）
実施形態４に係る遠隔操作システム１は、上述したように、実施形態２に係る遠隔操作システム１の地域情報管理装置３０をサービスプロバイダ２０が有する構成になっている。したがって、実施形態４に係る遠隔操作システム１の処理は、図６においてサービスプロバイダ２０と地域情報管理装置３０との間においてデータを送受信するステップＳ７４、ステップＳ６０、ステップＳ６２、およびステップＳ６３を削除し、地域情報管理装置３０が実行する処理であるＳ６１において、データベース検索部３２を制御部２２のデータベース検索部２４、データベース３３をデータベース２５に読み替えて適用することが可能である。
【００７９】
このように、実施形態４においては、実施形態２における地域情報管理装置３０の機能をサービスプロバイダ２０が備えることにより、遠隔操作システム１の構成をシンプルにすることができる。また、実施形態１における位置判定部２３の機能を携帯端末１０が備えることにより、サービスプロバイダ２０の処理を軽くすることができる。
【００８０】
〔実施形態５〕
本発明の他の実施形態について、図９〜図１０に基づいて説明すれば、以下のとおりである。なお、説明の便宜上、前記実施形態にて説明した部材と同じ機能を有する部材については、同じ符号を付記し、その説明を省略する。
【００８１】
図９は、本発明の実施形態５に係る遠隔操作システム１の構成を示すブロック図である。図９に示す遠隔操作システム１は、実施形態３に係る遠隔操作システム１（図７）に対して、サービスプロバイダ２０が宅内情報管理装置４０に変更された構成になっている。
【００８２】
宅内情報管理装置４０は、携帯端末１０が操作可能な家電を宅内において管理する装置である。宅内情報管理装置４０が備える宅内情報管理装置通信部４１、制御部４２、データベース検索部４４、および位置判定部４５は、実施形態３においてサービスプロバイダ２０が備えるサービスプロバイダ通信部２１、制御部２２、データベース検索部２４、および位置判定部２３とそれぞれ同じ機能を有している。また、データベース４３は、図２（ａ）および（ｂ）のテーブルから、宅のＩＤを削除したテーブルを記憶している。したがって、位置判定参照情報は、当該宅の位置判定参照情報のみを記憶している。
【００８３】
（実施形態５に係る遠隔操作システム１の処理）
図１０は、本発明の実施形態５に係る遠隔操作システム１の処理の流れを示すシーケンス図である。実施形態５に係る遠隔操作システム１の処理について、図１０を用いて説明する。
【００８４】
まず、位置特定部１２は、携帯端末１０の位置を特定し、特定した位置情報を、通信部１１を使って宅内情報管理装置４０に送信する。また、ユーザ操作入力部１３は、ユーザが入力した家電のＩＤを取得し、取得した家電のＩＤを、通信部１１を使って宅内情報管理装置４０に送信する（ステップＳ８１）。
【００８５】
制御部４２は、宅内情報管理装置通信部４１を使って、携帯端末１０から送信された位置情報および家電のＩＤを受信する（ステップＳ８２）。そして、データベース検索部４４は、位置判定参照情報をデータベース４３から取得する（ステップＳ８３）。位置判定部４５は、取得した位置判定参照情報と、ステップＳ８２において取得した位置情報とに基づいて、携帯端末１０が宅内、宅外、および宅周辺領域の何れにあるかを判定する（ステップＳ８４）。そして、データベース検索部４４は、位置判定部４５が判定した携帯端末１０の位置およびステップＳ８２において取得した家電のＩＤに関係付けられている操作属性のＩＤおよび属性情報を、データベース４３から取得する（ステップＳ８５）。そして、制御部２２は、家電のＩＤと、取得した操作属性のＩＤおよび属性情報とを、携帯端末１０に送信する（ステップＳ８６）。
【００８６】
携帯端末１０が家電ＩＤ、操作属性のＩＤ，および属性情報を受信するステップＳ６５以降の処理は、上述した実施形態１と同じため、詳細な説明を省略する。
【００８７】
このように、実施形態５においては、実施形態３におけるサービスプロバイダ２０の機能を、宅内情報管理装置４０が備えることにより、操作対象の家電を特定する情報として使用した宅のＩＤが不要になるため、携帯端末１０と宅内情報管理装置４０との間で送受信するデータ量を減らすことができる。
【００８８】
〔実施形態６〕
本発明の他の実施形態について、図１１に基づいて説明すれば、以下のとおりである。なお、説明の便宜上、前記実施形態にて説明した部材と同じ機能を有する部材については、同じ符号を付記し、その説明を省略する。
【００８９】
図１１は、本発明の実施形態６に係る遠隔操作システム１の構成を示すブロック図である。図１１に示す遠隔操作システム１は、実施形態４に係る遠隔操作システム１（図８）に対して、サービスプロバイダ２０が宅内情報管理装置４０に変更された構成になっている。宅内情報管理装置４０が備える宅内情報管理装置通信部４１、制御部４２、データベース４３、データベース検索部４４の機能は、実施形態５における宅内情報管理装置通信部４１、制御部４２、データベース４３、データベース検索部４４の機能と同じである。
【００９０】
（実施形態６に係る遠隔操作システム１の処理）
実施形態６に係る遠隔操作システム１は、上述したように、実施形態４に係る遠隔操作システム１のサービスプロバイダ２０が地域情報管理装置４０に変更された構成になっている。したがって、実施形態６に係る遠隔操作システム１の処理は、図６においてサービスプロバイダ２０と地域情報管理装置３０との間においてデータを送受信するステップＳ７４、ステップＳ６０、ステップＳ６２、およびステップＳ６３を削除し、地域情報管理装置３０が実行する処理であるＳ６１において、データベース検索部３２を制御部２２のデータベース検索部２４、データベース３３をデータベース２５に読み替える。また、サービスプロバイダ２０が実行する処理であるＳ７３およびＳ６４において、制御部２２を制御部４２、サービスプロバイダ２１を宅内情報管理装置通信部４１に読み替えて適用することが可能である。
【００９１】
このように、実施形態６においては、実施形態５における位置判定部４５の機能を携帯端末１０が備えることにより、宅内情報管理装置４０の処理を軽くすることができる。
【００９２】
〔実施形態７〕
上述した実施形態１〜６において、携帯端末１０が宅内にない場合、操作内容は制限されていた。しかしながら、宅に異常が発生し、宅外から早急に家電を操作しなければならない場合、操作内容が制限されていると対応できない。そこで、このような場合に対応できる実施形態７について、以下に説明する。
【００９３】
携帯端末１０は、宅内にいない場合においても宅内にいる場合と同等の操作が可能になるアドミニストレータモードを有する。アドミニストレータモードへの移行は、ユーザの操作によって実行される。そして、位置特定部１２は記憶部を有し、記憶部は宅内と判定される位置の位置情報を、予め記憶しておく。
【００９４】
ユーザがアドミニストレータモードへ移行するよう操作した場合、ユーザ操作入力部１３は、アドミニストレータモードへ移行することを示す情報を、位置特定部１２に出力する。位置特定部１２は、アドミニストレータモードへ移行することを示す情報を取得すると、ＧＰＳ受信機を使って受信したＧＰＳ情報に基づいた位置情報ではなく、記憶部に記憶している宅内と判定される位置の位置情報を出力する。したがって、携帯端末１０の位置は、常に宅内と判定されるので、操作内容は制限されない。
【００９５】
このように、実施形態７においては、携帯端末１０がアドミニストレータモードを有し、位置特定部１２が、宅内と判定される位置の位置情報を、予め記憶しておくことにより、携帯端末１０は、携帯端末１０の位置が宅内ではない場合でも、宅内にいる場合と同等の操作内容の操作画面を表示することができる。
【００９６】
〔実施形態８〕
上述した実施形態１において、携帯端末１０の位置情報はＧＰＳ受信機を使って受信したＧＰＳ情報に基づいて特定されたが、携帯端末１０が取得するグローバルＩＰアドレスを使ってもよい。携帯端末１０の位置情報を、グローバルＩＰアドレスを用いて特定する実施形態８について、以下に説明する。
【００９７】
携帯端末１０が宅内にある場合、携帯端末１０が取得するグローバルＩＰアドレスは、宅内情報管理装置４０が有するルータから取得するグローバルＩＰアドレスになる。したがって、携帯端末１０が取得するグローバルＩＰアドレスは、携帯端末１０の位置を特定する位置情報となり得る。また、宅内情報管理装置４０が有するルータが割り当てるグローバルＩＰアドレスは、宅内の領域を示す情報となり得る。したがって、位置判定参照情報として宅内情報管理装置４０が有するルータが割り当てるグローバルＩＰアドレスを予め登録し、携帯端末１０が取得するグローバルＩＰアドレスと一致するか否かによって、位置判定部２３は携帯端末１０の位置を判定することができる。
【００９８】
このように、実施形態８においては、携帯端末１０が取得するグローバルＩＰアドレスを使うことにより、上述した実施形態と同様、携帯端末１０の位置を判定することができる。
【００９９】
〔実施形態９〕
上述した実施形態８において、携帯端末１０の位置情報を、グローバルＩＰアドレスを用いて特定したが、ＳＳＩＤを用いてもよい。携帯端末１０の位置情報を、ＳＳＩＤを用いて特定する実施形態９について、以下に説明する。
【０１００】
携帯端末１０が宅内にある場合、携帯端末１０が取得するＳＳＩＤは、宅内情報管理装置４０が有するアクセスポイントから取得するＳＳＩＤになる。したがって、携帯端末１０が取得するＳＳＩＤは、携帯端末１０の位置を特定する位置情報となり得る。また、宅内情報管理装置４０が有するアクセスポイントのＳＳＩＤは、宅内の領域を示す情報となり得る。したがって、位置判定参照情報として宅内情報管理装置４０が有するアクセスポイントのＳＳＩＤを予め登録し、携帯端末１０が取得するＳＳＩＤと一致するか否かによって、位置判定部２３は携帯端末１０の位置を判定することができる。
【０１０１】
このように、実施形態９においては、携帯端末１０から取得するＳＳＩＤを使うことにより、上述した実施形態と同様、携帯端末１０の位置を判定することができる。
【０１０２】
〔実施形態１０〕
上述した実施形態１〜９において、携帯端末１０が自動的に取得した位置情報に基づいて、携帯端末１０の位置を判定したが、携帯端末１０の位置を、ユーザが選択してもよい。携帯端末１０の位置をユーザが選択する実施形態１０について、以下に説明する。
【０１０３】
ユーザは、携帯端末１０の位置も入力する構成としてもよい。例えば、ユーザが、宅内、宅外、宅周辺領域の何れかを示す情報を入力する構成としてもよい。そして、ユーザ操作入力部１３は、ユーザが入力した携帯端末１０の位置を取得する。こうすることにより、携帯端末１０の位置情報と位置判定参照情報とから携帯端末１０の位置を判定する必要がなく、携帯端末１０は、ユーザが入力した携帯端末１０の位置に応じた操作内容を含む操作画面を、表示することができる。
【０１０４】
このように、携帯端末１０の位置をユーザが入力することにより、携帯端末１０の位置情報を取得し、携帯端末１０の位置を判定する処理が不要になり、遠隔操作システム１の処理を軽くすることができる。
【０１０５】
〔実施形態１１〕
携帯端末１０の制御ブロック（特に位置特定部１２、ユーザ操作入力部１３、通信部１１、操作画面生成部１４、および位置判定部１６）およびサービスプロバイダ２０の制御部２２、地域情報管理装置３０のデータベース検索部３２、宅内情報管理装置４０の制御部４２は、集積回路（ＩＣチップ）等に形成された論理回路（ハードウェア）によって実現してもよいし、ＣＰＵ（Central Processing Unit）を用いてソフトウェアによって実現してもよい。
【０１０６】
後者の場合、携帯端末１０、サービスプロバイダ２０、地域情報管理装置３０、および宅内情報管理装置４０は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１０７】
〔まとめ〕
本発明の態様１に係る制御方法は、遠隔操作装置（携帯端末１０）による対象機器の制御方法であって、遠隔操作装置の位置を判定する位置判定工程と、対象機器を特定する対象機器特定工程と、上記対象機器特定工程において特定された上記対象機器と、上記位置判定工程において判定された上記遠隔操作装置の位置とに応じて、上記対象機器に対して上記遠隔操作装置が操作可能な操作内容を変更する操作内容変更工程と、を含む。
【０１０８】
上記の構成によれば、遠隔操作装置の位置と、遠隔操作装置が操作可能な対象機器とに応じて、遠隔操作装置が操作可能な操作内容が変更される。このため、使用者にとって好ましくない操作内容を、遠隔操作装置の位置に応じて、操作可能な操作内容から排除しておくことが可能となる。このため、上記の構成によれば、ユーザによる操作ミスを抑制することができる。
【０１０９】
本発明の態様２に係る制御方法は、上記態様１において、上記位置判定工程は、上記遠隔操作装置が予め定められた領域内にあるか否かを判定し、上記操作内容変更工程は、上記対象機器特定工程において特定された上記対象機器と、上記位置判定工程において判定された上記遠隔操作装置が上記予め定められた領域内にあるか否かとに応じて、上記対象機器に対して上記遠隔操作装置が操作可能な操作内容を変更してもよい。
【０１１０】
上記の構成によれば、予め定められた領域内に遠隔操作装置があるか否かによって、遠隔操作装置が操作可能な操作内容が変更される。このため、使用者にとって好ましくない操作内容を、遠隔操作装置の位置に応じて、操作可能な操作内容から排除しておくことが可能となる。このため、上記の構成によれば、ユーザによる操作ミスを抑制することができる。
【０１１１】
本発明の態様３に係る制御方法は、上記態様２において、上記予め定められた領域は、上記対象機器が設置された場所を含む領域であってもよい。
【０１１２】
上記の構成によれば、対象機器が設置された場所を含む領域内に遠隔操作装置があるか否かによって、遠隔操作装置が操作可能な操作内容が変更される。このため、使用者が対象機器から離れている場合、使用者にとって好ましくない操作内容を、操作可能な操作内容から排除しておくことが可能となる。このため、上記の構成によれば、ユーザによる操作ミスを抑制することができる。
【０１１３】
本発明の態様４に係る制御方法は、上記態様１において、上記位置判定工程は、上記遠隔操作装置と上記対象機器との距離が、予め定められた距離以上であるか否かを判定し、上記操作内容変更工程は、上記対象機器特定工程において特定された上記対象機器と、上記位置判定工程において判定された上記遠隔操作装置と上記対象機器との距離が上記予め定められた距離以上であるか否かとに応じて、上記対象機器に対して上記遠隔操作装置が操作可能な操作内容を変更してもよい。
【０１１４】
上記の構成によれば、対象機器との距離に応じて、遠隔操作装置が操作可能な操作内容が変更される。このため、使用者が対象機器から離れている場合、使用者にとって好ましくない操作内容を、操作可能な操作内容から排除しておくことが可能となる。このため、上記の構成によれば、ユーザによる操作ミスを抑制することができる。
【０１１５】
本発明の態様５に係る遠隔操作装置（携帯端末１０）は、対象機器を操作可能な遠隔操作装置であって、当該遠隔操作装置の位置を特定する位置特定手段（位置特定部１２）と、対象機器を特定する対象機器特定手段（ユーザ操作入力部１３）と、上記対象機器特定手段によって特定された対象機器を示す対象機器特定情報、及び上記位置特定手段によって特定された位置を示す位置情報をサーバに送信する送信手段（通信部１１）と、上記対象機器特定情報、及び上記位置情報に応じて定まる操作内容をサーバから受信する受信手段（通信部１１）と、受信した上記操作内容を示す操作画面を生成する操作画面生成手段（操作画面生成部１４）と、を備える。
【０１１６】
上記の構成によれば、上記態様１における遠隔操作装置が実現できる。
【０１１７】
本発明の態様６に係る遠隔操作装置は、上記態様５において、上記位置特定手段によって特定された上記遠隔操作装置の位置が、所定の条件を満たすものであるか否かを判定する位置判定手段（位置判定部１６）をさらに備え、上記送信手段は、上記対象機器特定手段によって特定された対象機器を示す対象機器特定情報、及び上記位置判定手段によって判定された判定結果をサーバに送信してもよい。
【０１１８】
上記の構成によれば、上記態様１における遠隔操作装置が実現できる。
【０１１９】
本発明の態様５または態様６に係る遠隔操作装置は、コンピュータによって実現してもよく、この場合には、コンピュータを上記遠隔操作装置が備える各手段として動作させることにより上記遠隔操作装置をコンピュータにて実現させる遠隔操作装置の制御プログラムも、本発明の範疇に入る。
【０１２０】
本発明の態様８に係るサーバは、対象機器を示す対象機器特定情報、及び当該対象機器を操作する遠隔操作装置の位置を示す位置情報を受信する受信手段と、上記対象機器特定情報と、上記位置情報とに応じて、上記対象機器に対して上記遠隔操作装置が操作可能な操作内容を決定する操作内容決定手段と、決定された上記操作内容を上記遠隔操作装置に送信する送信手段と、を含む。
【０１２１】
上記の構成によれば、上記態様１の制御方法を構成するサーバを実現することができる。
【０１２２】
本発明の態様８に係るサーバは、コンピュータによって実現してもよく、この場合には、コンピュータを上記サーバが備える各手段として動作させることにより上記サーバをコンピュータにて実現させるサーバの制御プログラムも、本発明の範疇に入る。
【０１２３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１２４】
本発明は、ネットワーク対応の機器や、当該機器を遠隔操作するための装置に利用することができる。
【符号の説明】
【０１２５】
１  遠隔操作システム
２  ネットワーク
１０  携帯端末（遠隔操作装置）
１１  通信部（送信手段、受信手段）
１２  位置特定部（位置特定手段）
１３  ユーザ操作入力部（対象機器特定手段）
１４  操作画面生成部（操作画面生成手段）
１５  表示部
１６  位置判定部（位置判定手段）
２０  サービスプロバイダ
２１  サービスプロバイダ通信部
２２  制御部
２３  位置判定部
２４  データベース検索部
２５  データベース
３０  地域情報管理装置
３１  地域情報管理装置通信部
３２  データベース検索部
３３  データベース
４０  宅内情報管理装置
４１  宅内情報管理装置通信部
４２  制御部
４３  データベース
４４  データベース検索部
４５  位置判定部
【図１】
2015050565.tif 000003
【図２】
2015050565.tif 000004
【図３】
2015050565.tif 000005
【図４】
2015050565.tif 000006
【図５】
2015050565.tif 000007
【図６】
2015050565.tif 000008
【図７】
2015050565.tif 000009
【図８】
2015050565.tif 000010
【図９】
2015050565.tif 000011
【図１０】
2015050565.tif 000012
【図１１】
2015050565.tif 000013